(57)【要約】      （修正有）【課題】土踏まずの一部を締めつける、または足全体に窮屈感を覚え、疲れやすいという共通した欠点を解消し、また外見上目立たず、足指間マッサージ効果による防寒、及び偏平足の人の足裏横アーチ及び縦アーチの形成を造形、助勢すること。【解決手段】足指部分は第１関節から指のつけ根まで、足の部分は甲部足裏部とも各５指の指のつけ根の膨らみ部分を被う形状と大きさとする。また甲部分を略Ｕ字形にカット、足裏部分に甲部分よりも小さく略Ｕ字形にカットし、使用生地に木綿、木綿混紡布地、彩色には乳白色、または薄い肌色を基本としている。【選択図】図５
0003119299.tif 000002
【実用新案登録請求の範囲】
【請求項１】
（１）靴下、ストッキングを履く前に、足指５指とその指のつけ根部分に装着し、原則として靴下と重ね履き着用を基本とする足指間マッサージインナーであって、
（２）夫々独立している5本指仕様の靴下を履いた状態の、いわゆる土踏まずから踵部分と、足指５指すべての第１関節から先端部分をカットした形状で、
（３）足指５指夫々の第１関節から足指５指のつけ根、関節の膨らみ部分を一体的に包み込んでいる。
（４）したがって、足の甲側は親指つけ根の関節の膨らみ部分から、指し指、中指、薬指、小指の夫々つけ根の関節の膨らみ部分にかけて大きく口を開いたゆるやかな略U字形にカットしている。
（５）他方足裏側は、足裏の縦線アーチ及び横線アーチ（土踏まず部分）の凹み部分を避け、５指のつけ根の関節部分の膨らみに沿い前記甲側より小さい略U字形にカットする。
（６）使用生地には、木綿、ナイロン、ポリウレタンほか、合繊等の生地を拘束するものではないが木綿混紡，麻混紡が最も望ましく、生地のカット部分はかがり縫い等の他、ほつれ防止処置をする。
【請求項２】
足裏部分の内側（皮膚に接触する面）に、即ち足裏の縦線アーチ及び横線アーチ（土踏まず部分）の凹み部分を回避するように、５指のつけ根関節部分の膨らみに沿い前記甲側より小さい略U字形にカットされている布地部分の内面に足のツボ刺激用の小さな粒状の突起（シリコン，ゴム、マグネット、ゲルマニウム製ほか等）複数を設けている請求項１の足指間マッサージインナー。
【請求項３】
足指５指の夫々、足指の第１関節から指のつけ根部を指輪状筒リングとし、５指の夫々のつけ根部を連結している請求項１の足指間マッサージインナー。
【考案の詳細な説明】
【技術分野】
【０００１】
本考案は、足指のマッサージと、足指のマッサージ効果による足先部分の防寒との相乗効果と、偏平足にあっては足の横アーチ及び縦アーチを助勢することを目的とする靴下インナーに関するものである。
【背景技術】
【０００２】
5指靴下としては、5指用靴下、足指つけ根部分用靴下、つま先用靴下があり、その使用目的は外反母趾、水虫の治療，対策を意図したもので、
【０００３】
その１は土踏まずから踵部分をカットしたもの、その２は、前記その１の甲部分に略U字カットを加えたもの、その３は足指先端部をカット、指先を露出したもの、の３種類がある。
【０００４】
しかし、土踏まずの一部を締めつける、または足全体に窮屈感を覚え疲れやすいという共通した欠点があった。また足全体の前半分を占める形状と大きさのために通常の靴下、女性用ストッキングなどの重ね履き着用には適さないなどの問題があるが、本考案の主旨と機能、形状（特に足裏のU字カット）に合致するものは見当たらない。
【０００５】
【特許文献１】特開２００５−２５６２０２公報
【特許文献２】特開２００３−３２８２０３公報
【特許文献３】特開２００５−８９９３４公報
【特許文献４】特開平１０−７７５０２公報
【特許文献５】実用新案登録第２５３４７８１号公報
【特許文献６】特開２００３−００００００号公報
【考案の開示】
【考案が解決しようとする課題】
【０００６】
この改善策として、通常の靴下、女性用ストッキングのインナーとしての重ね履き着用を容易に、且つ外見上目立たず、足指間マッサージ効果による防寒、及び偏平足の人の足裏横アーチ及び縦アーチの形成を造形、又は助勢すること。
【課題を解決するための手段】
【０００７】
本考案は、足指部分は第１関節から指のつけ根まで、足の部分は甲部足裏部とも各５指の指のつけ根関節部分の膨らみ部分を被うのみの形状と大きさとする。また甲部分を略U字形にカット、足裏部分に甲部分よりも小さく略U字形にカットを施し、使用生地に木綿混紡布地、彩色は乳白色、または薄い肌色を基本色として採用していることを主要な特徴とする
【考案の効果】
【０００８】
本考案の足指間マッサージインナーは、靴下、或いは女性用ストッキングとの重ね履き着用をすることによって、歩行時の足指の運動により血行を促すマッサージ効果を派生させるとともに、副作用として防寒効果を高める利点がある。また使用生地の彩色に、薄い肌色を基本色として採用することによって、足の甲部及び足裏の略U字形カットは靴類からのはみ出し、露見を防止するとともに靴下、女性用ストッキングとの重ね履き着用を容易にする。また偏平足の人の場合には、前記足裏の略U字形カット部を造形することによって横アーチ、及び縦アーチ形成を助勢するという効果がある。
【考案を実施するための最良の形態】
【０００９】
足指部分は第１関節から指のつけ根まで、足の部分は甲部足裏部とも各５指の指のつけ根の関節の膨らみ部分を被うのみの形状と大きさとする。また甲部分を略U字形にカット、足裏部分に甲部分よりも小さく略U字形にカット、カット部にほつれ防止（縁かがリ縫い他等）処置を施し、使用生地には一般的に使用されている靴下生地でも充分であるが、欲を言えば厚手の木綿混紡布地が望ましく、シリコン，ゴム、マグネット、ゲルマニウム製ほか等の足のツボ刺激用の、小さな粒状の突起など付加価値を高める加工も容易である。なお彩色には薄い肌色を基本色とするなど、また靴下，ストッキングの色に合わせるなどすることによって、重ね履き着用の効果と着用したことによる外見を損なうことなく実現した。
【実施例１】
【００１０】
図１の（イ）は、本考案の実施例１の全体，斜視図であって、図３，図４（イ）（ロ），図５のように着用し、その上から靴下，ストッキング等を重ね履き着用する足指間マッサージインナー（以降インナーと云う）であって、
【００１１】
夫々独立している5本指仕様の靴下を履いた状態の、いわゆる土踏まずから踵部分と、足指５指すべての第１関節から先端部分をカットした形状をしており、
【００１２】
足指５指夫々の第１関節から足指５指のつけ根、関節の膨らみ部分を一体的に包み込んでいる。
【００１３】
したがって、足の甲側図３図４の親指つけ根、関節の膨らみ部分６から、指し指、中指、薬指、小指の夫々つけ根、関節の膨らみ部分７，８にかけて大きく口を開いたゆるやかな略U字形にカットしている。これは靴等を履いた時の甲の圧迫と、インナーのはみ出しを防止する。
【００１４】
他方足裏側図5の、足裏の縦線アーチ１３及び横線アーチ（土踏まず部分）１２の凹み部分を避け、５指のつけ根関節部分の膨らみ９，１０，１１に沿い前記甲側より小さい略U字形にカットしている。これは前記  縦線アーチ１３及び横線アーチ（土踏まず部分）１２に注目し、使用者が偏平足の人の場合に、インナーの生地素材にもよるが、前記  縦線アーチ１３及び横線アーチ（土踏まず部分）１２を、人工的に造りだし、または助勢，助長するとともに、マッサージ効果をも派生させる従来に無い形状となる。
【００１５】
使用生地には、木綿、ナイロン、ポリウレタンほか、合繊等の生地を拘束するものではないが、生地厚，保温、吸湿性を考慮すると木綿混紡、麻混紡が最も望ましく、生地のカット部分はかがり縫い等の他、ほつれ防止処置をすることによって、歩行運動による、足裏図５の縦線アーチ１３及び横線アーチ（土踏まず部分）１２の助勢又は助長，各足指間、及び足先のマッサージ効果によって足先部の血流を高めて、健康増進と防寒に役立つインナーである。
【実施例２】
【００１６】
図１の（ロ）は実施例２であって、足裏部分の内側（皮膚に接触する面）に、即ち足裏図５の縦線アーチ１３及び横線アーチ（土踏まず部分）１２の凹み部分を回避するように、５指の関節つけ根部分の膨らみ図５−９，１０，１１に沿い前記甲側より小さい略U字形にカット図１−３されている布地部分の内側に小さな粒状の突起（シリコン，ゴム製ほか等）図1−４を設けて、歩行運動による前記小さな粒状の突起に当接する部分の皮膚、足裏のツボを刺激し、マッサージ効果によって血流を高めて、健康増進、防寒の一助にしようとするものである。
【実施例３】
【００１７】
図２は実施例３の足指5連リングであって、5指の夫々、足指の第２関節から指のつけ根部を筒リングとし、指のつけ根部が5指連結されているものであって、歩行運動による各足指間のみのマッサージ効果によって血流を高めて、健康増進、防寒の一助にしようとするものである。
【産業上の利用可能性】
【００１８】
本発明にかかる足指間マッサージインナーは、靴下、或いは女性用ストッキングとの重ね履き着用をすることを基本とするものである。したがって靴下，ストッキングを着用する日常の場面すべてにおいて、また必要に応じ或いはその時の気持ち，気分次第で単品としても利用できる。
【図面の簡単な説明】
【００１９】
【図１】足指間マッサージインナーの実施方法を示した説明図であって、（イ）は実施例１、（ロ）は実施例２である。
【図２】足指間マッサージインナーの足指5連リングの実施例３を示した説明図であって（イ）は着用斜視図、（ロ）は側断面図（ハ）は正面図である。
【図３】足指間マッサージインナーを装着している足の上面からの斜視図である。
【図４】足指間マッサージインナーを装着している足の斜視図で（イ）は内側面図、（ロ）は外側面図である。
【図５】足指間マッサージインナーを装着している足裏の正面からの斜視図である。
【符号の説明】
【００２０】
１    本体
２    甲側の略U字カット
３    足裏側略U字カット
４    足裏側の内面、小さな粒状の突起（シリコン，ゴム製等）
５    足指5連リング
６    甲側、親指つけ根の関節膨らみ部分
７    甲側、人差し指から薬指の関節膨らみ部分
８    甲側、小指の関節膨らみ部分
９    足裏側、人差し指から薬指の関節膨らみ部分
１０  足裏側、人差し指から薬指の関節膨らみ部分
１１  足裏側、小指の関節膨らみ部分
１２  横線アーチ（土踏まず部分）
１３  縦線アーチ
【図１】
0003119299.tif 000003
【図２】
0003119299.tif 000004
【図３】
0003119299.tif 000005
【図４】
0003119299.tif 000006
【図５】
0003119299.tif 000007
【手続補正書】
【提出日】平成17年11月25日(2005.11.25)
【手続補正１】
【補正対象書類名】実用新案登録請求の範囲
【補正対象項目名】全文
【補正方法】変更
【補正の内容】
【実用新案登録請求の範囲】
【請求項１】
足指間マッサージインナーであって、
（１）夫々独立している5本指仕様の靴下を履いた状態の、いわゆる土踏まずから踵部分と、足指５指すべての第１関節か    ら先端部分をカットした形状で、
（２）足指５指夫々の第１関節から足指５指のつけ根、関節の膨らみ部分を一体的に包み込んでいる、
（３）したがって、足の甲側は親指つけ根の関節の膨らみ部分から、指し指、中指、薬指、小指の夫々つけ根の関節の膨らみ部分にかけて大きく口を開けるように、ゆるやかな略U字形にカットしている、
（４）他方足裏側は、足裏の縦線アーチ及び横線アーチ（土踏まず部分）の凹み部分を避け、５指のつけ根の関節部分の膨らみに沿い前記甲側より小さい略U字形にカットする、
（５）生地のカット部分はかがり縫い等の他、ほつれ防止処置をする、
以上の構造、構成からなる足指間マッサージインナー。
【請求項２】
足裏部分の内側（皮膚に接触する面）に、即ち足裏の縦線アーチ及び横線アーチ（土踏まず部分）の凹み部分を回避するように、５指のつけ根関節部分の膨らみに沿い前記甲側より小さい略U字形にカットされている布地部分の内面に、足のツボ刺激用の小さな粒状の突起複数を設けている請求項１の足指間マッサージインナー。
【請求項３】
足指５指の夫々、足指の第１関節から指のつけ根部を指輪状筒リングとし、５指の夫々のつけ根部を連結している請求項１の足指間マッサージインナー。